(57)【要約】      （修正有）【課題】プラグアンドプレイ、帯域の拡大が容易で、防水、高コストパフォーマンス等の利点を有する双方向通信光ファイバージャンパー線を提供する。【解決手段】光ファイバーコネクタ１１、光ケーブル１０、及び光コネクタ１２を備える双方向通信光ファイバージャンパー線であって、光ファイバーコネクタは、第１雄光ファイバーコネクタ、第２雄光ファイバーコネクタ、及び波長分割マルチプレクサーを有する。第１、第２雄光ファイバーコネクタ、及び波長分割マルチプレクサーをまとめて１つの光ファイバーコネクタとし、それを、光ケーブルを介して光コネクタに直接接続する。波長分割マルチプレクサーは、需要に応じて光サーキュレーター、溶融型光ファイバーカプラ、フィルター型波長分割マルチプレクサー、又は溶融型波長分割マルチプレクサー等から少なくとも１つを選択する。また、防水ジャケットを組み合わせることができる。【選択図】図１
0003224869.tif 000002
【実用新案登録請求の範囲】
【請求項１】
シングルコア光ファイバーを内包する光ケーブルと、
前記光ケーブルの一端に設けられ、第１雄光ファイバーコネクタ、第２雄光ファイバーコネクタ、及び波長分割マルチプレクサーを有する光ファイバーコネクタと、
前記光ケーブルの他端に設けられる光コネクタと、を備えることを特徴とする、
双方向通信光ファイバージャンパー線。
【請求項２】
前記波長分割マルチプレクサーは、
第１光信号を受信し、前記第１雄光ファイバーコネクタに接続される第１ポートと、
前記第１光信号を伝送して第２光信号を受信し、前記光ケーブルに接続される第２ポートと、
前記第２光信号を伝送し、前記第２雄光ファイバーコネクタに接続される第３ポートと、を備えることを特徴とする、
請求項１に記載の双方向通信光ファイバージャンパー線。
【請求項３】
前記波長分割マルチプレクサーは、光サーキュレーター又は溶融型光ファイバーカプラであることを特徴とする、請求項２に記載の双方向通信光ファイバージャンパー線。
【請求項４】
前記第１光信号が第１波長を有し、前記第２光信号が第２波長を有し、前記第１波長及び前記第２波長が同じであることを特徴とする、請求項２に記載の双方向通信光ファイバージャンパー線。
【請求項５】
前記波長分割マルチプレクサーは、フィルター型波長分割マルチプレクサー又は溶融型波長分割マルチプレクサーであることを特徴とする、請求項２に記載の双方向通信光ファイバージャンパー線。
【請求項６】
前記第１光信号が第１波長を有し、前記第２光信号が第２波長を有し、前記第１波長及び前記第２波長が異なることを特徴とする、請求項２に記載の双方向通信光ファイバージャンパー線。
【請求項７】
前記光コネクタの一端面が、鉛直方向に対して０°以上９０°未満の角度を有することを特徴とする、請求項１に記載の双方向通信光ファイバージャンパー線。
【請求項８】
前記光ファイバーコネクタを覆う外部カバーを更に備えることを特徴とする、請求項１に記載の双方向通信光ファイバージャンパー線。
【請求項９】
複数本の光ファイバーを内包する光ケーブルと、
前記光ケーブルの一端に設けられ、複数の雄光ファイバーコネクタ及び複数の波長分割マルチプレクサーを有する光ファイバーコネクタと、
前記光ケーブルの他端に設けられ、一端面が所定の角度を有するマルチコア光コネクタと、を備えることを特徴とする、
双方向通信光ファイバージャンパー線。
【請求項１０】
前記雄光ファイバーコネクタの数は、前記光ケーブル内の前記光ファイバーの数の２倍であることを特徴とする、請求項９に記載の双方向通信光ファイバージャンパー線。
【考案の詳細な説明】
【技術分野】
【０００１】
本考案は、光ファイバージャンパー線、特にシングル光ファイバーである双方向通信光ファイバージャンパー線に関する。
【背景技術】
【０００２】
情報化社会の発展につれて、高速ネットワークの普及率が向上していると共に、高速ネットワークの関連設備の需要も向上している。
【０００３】
光ファイバーは、伝送損失が低い特性を有する。近年では、光ファイバーの通信技術の成熟のため、通信品質及び伝送速度が向上し、それが高速デジタルネットワーク普及の主な原因となっている。
【０００４】
光ファイバー通信とは、光ファイバー（ｏｐｔｉｃａｌ  ｆｉｂｅｒ）を伝送媒体として情報を遠くまで伝送することである。
【０００５】
従来の光ファイバー通信は、１つの搬送波波長によって情報を伝送していた。技術の進歩に伴い、現在の光ファイバーネットワークは、１本の光ファイバー内で複数の異なる波長チャンネルによって同時に情報を伝送する。このような方式は、波長分割多重方式（Ｄｅｎｓｅ  Ｗａｖｅｌｅｎｇｔｈ  Ｄｉｖｉｓｉｏｎ  Ｍｕｌｔｉｐｌｅｘｉｎｇ  Ｓｙｓｔｅｍ）とも呼ばれる。
【０００６】
しかし、従来の波長分割多重方式の光ポートの数が固定値であるため、一般的に波長分割マルチプレクサーを使用し、光ファイバーネットワークの既有構成を変更せずに、光ファイバーネットワークのユーザーを増加できる。
【０００７】
今まで、波長分割マルチプレクサーを使用する問題点としては、波長分割マルチプレクサー及びコネクタをそれぞれ設けなければならないことがあった。そのため、互いの距離が遠くなって、設置工事の不便さとなる。
【０００８】
現状としては、従来の光送受信システムは、コネクタをそのまま波長分割マルチプレクサーに設けている。距離による設置工事の不便さを解消したが、コネクタを清潔にしにくい問題がある。コネクタに汚れがある又は接続点が接触不良となると、反射光が発生し、信号の伝送不良の発生につながる。
【０００９】
また、もう１つの問題点としては、コネクタをそのまま波長分割マルチプレクサーに設けた場合、設置する工事でコネクタが破損し易く、信号伝送の安定性の低下を招くことがある。
【考案の概要】
【考案が解決しようとする課題】
【００１０】
本考案の主な目的は、双方向通信光ファイバージャンパー線を提供することである。光ファイバージャンパー線は、光ファイバーケーブルに外付ける受動素子である。本考案の光ファイバージャンパー線によれば、元々異なる光ファイバーケーブル内で一方向伝送を行う２つの光信号は、１つの光ファイバーケーブル内で双方向伝送を行うことができる。このようにすると、元々１人のユーザーしかサポートできない光ファイバーネットワークをそのままアップグレードして、２人のユーザーをサポートすることができる。
【００１１】
本考案の別の目的は、清掃が易く、信号伝送が安定な光ファイバージャンパー線を提供することである。また、防水、防塵の機能を更に有してもよい。
【課題を解決するための手段】
【００１２】
本考案は、光ファイバーコネクタ、光ケーブル、及び光コネクタが順に接続される双方向通信光ファイバージャンパー線を提供する。前記光ファイバーコネクタは、第１雄光ファイバーコネクタ、第２雄光ファイバーコネクタ、及び波長分割マルチプレクサーを備える。光ケーブルは、少なくとも１つのシングルコア光ファイバーを内包する。
【００１３】
本考案の波長分割マルチプレクサーは、ユーザーの需要によって適切な波長分割マルチプレクサーを選択できる。波長分割マルチプレクサーは、光サーキュレーター、溶融型光ファイバーカプラ、フィルター型波長分割マルチプレクサー、又は溶融型波長分割マルチプレクサー等の少なくとも１つである。
【００１４】
また、前記波長分割マルチプレクサーは、第１光信号を受信し、第１雄光ファイバーコネクタに接続される第１ポートと、第１光信号を伝送して第２光信号を受信し、光ケーブルに接続される第２ポートと、第２光信号を伝送し、第２雄光ファイバーコネクタに接続される第３ポートとを備える。
【００１５】
また、本考案の光コネクタは、その一端が光ケーブルに接続され、第１光信号を伝送して第２光信号を受信し、また、他端が所定の角度となることで、反射光による信号の伝送不良を低減できる。
【００１６】
本考案の光ファイバージャンパー線は、外部カバーを更に備えている。外部カバーで光ファイバーコネクタを覆うことで、防水、防塵の機能を提供できる。
【考案の効果】
【００１７】
上記をまとめると、本考案の光ファイバージャンパー線は、プラグアンドプレイ、帯域の拡大が容易で、防水、高コストパフォーマンス等の利点を有する。
【図面の簡単な説明】
【００１８】
【図１】本考案の光ファイバージャンパー線の模式図である。
【図２ａ】本考案の第１実施例の光ファイバーコネクタの透視図である。
【図２ｂ】本考案の第１実施例の波長分割マルチプレクサーの模式図である。
【図３ａ】本考案の第２実施例の光ファイバーコネクタの透視図である。
【図３ｂ】本考案の第２実施例の波長分割マルチプレクサーの模式図である。
【図４】本考案の第３実施例の光ファイバージャンパー線の透視図である。
【図５】本考案の第４実施例の光ファイバージャンパー線の模式図である。
【考案を実施するための形態】
【００１９】
以下、当業者が本考案の内容を理解するために、図面及び素子の符号を開示しながら本考案の実施形態を詳しく説明する。
【００２０】
しかし、本考案は実施例に限定されず、色んな形態で実施できる。
【００２１】
下記実施例は、あくまで当業者が本考案の内容及びその範囲を理解するために、例として開示されているものに過ぎない。
【００２２】
そのため、本考案の範囲は請求の範囲によって決められる。
【００２３】
本考案の各実施例を説明する図面において、形状、サイズ、比率、数等は、あくまで例示として示すものである。本考案は、それらに限定されていない。
【００２４】
本明細書において、同じ図面の符号は、通常、同じ素子を示す。
【００２５】
下記説明において、特に明記しない限り、単数という用語を複数に置換してもよい。
【００２６】
図１は、本考案の光ファイバージャンパー線の模式図である。図１に示す光ファイバージャンパー線１は、光ケーブル１０、光ファイバーコネクタ１１、及び光コネクタ１２を備える。光ファイバーコネクタ１１は光ケーブル１０の一端に設けられ、光コネクタ１２は光ケーブル１０の他端に設けられる。
【００２７】
本実施例において、光ケーブル１０の内部には１本のシングルコア光ファイバーのみを有する。
【００２８】
また、本考案の光ケーブル１０は、内部に引張材を有するポリ塩化ビニル（ＰＶＣ）ケーブル又は低煙ゼロハロゲン（ＬＳＺＨ）ケーブル、内部に引張材を有しないポリ塩化ビニル（ＰＶＣ）ケーブル又は低煙ゼロハロゲン（ＬＳＺＨ）ケーブル、或いはベア光ファイバーを有してもよい。
【００２９】
なお、光コネクタ１２は、一般的な光コネクタ（ＡＰＣ）、例えば、標準コネクタ（ｓｔａｎｄａｒｄ  ｃｏｎｎｅｃｔｏｒ、ＳＣ）、ルーセントコネクタ（Ｌｕｃｅｎｔ／ｌｏｃａｌ  ｃｏｎｎｅｃｔｏｒ、ＬＣ）、ＥＳＣＯＮ（ｅｎｔｅｒｐｒｉｓｅ  ｓｙｓｔｅｍｓ  ｃｏｎｎｅｃｔｉｏｎ）、フェルールコネクタ（ｆｅｒｒｕｌｅ  ｃｏｎｎｅｃｔｏｒ、ＦＣ）、ファイバー分散型データインターフェース（ｆｉｂｅｒ  ｄｉｓｔｒｉｂｕｔｅｄ  ｄａｔａ  ｉｎｔｅｒｆａｃｅ、ＦＤＤＩ）、メカニカルトランスファー（ｍｅｃｈａｎｉｃａｌ  ｔｒａｎｓｆｅｒ、ＭＴ）、又はストレートチップ（ｓｔｒａｉｇｈｔ  ｔｉｐ、ＳＴ）コレクタ等の光ファイバーコネクタが挙げられるが、それらに限定されていない。
【００３０】
例えば、光コネクタ１２は、送受信器又は波長分割マルチプレクサーに接続される。前記送受信器又は前記波長分割マルチプレクサーと接続される一端面を鉛直方向に対して０°以上９０°未満の角度とすることで、反射量を低減できる。
【００３１】
図２ａは、本考案の第１実施例の光ファイバーコネクタの透視図である。図２ｂは、図２ａの実施例の波長分割マルチプレクサーの模式図である。
【００３２】
図２ａに示した光ファイバーコネクタ１１は、第１雄光ファイバーコネクタ１１１、第２雄光ファイバーコネクタ１１３、及び波長分割マルチプレクサー１１４を備える。
【００３３】
前記実施例において、前記波長分割マルチプレクサー１１４は、光サーキュレーター１２４又は溶融型光ファイバーカプラ１３４である。
【００３４】
図２ｂにおいて、光サーキュレーター１２４及び溶融型光ファイバーカプラ１３４は、それぞれ、第１ポートＰ１、第２ポートＰ２、及び第３ポートＰ３である３つのポートを有する。
【００３５】
そのうち、第１ポートＰ１が第１雄光ファイバーコネクタ１１１に接続され、第２ポートがＰ２光ケーブル１０に接続され、第３ポートＰ３が前記第２雄光ファイバーコネクタ１１３に接続される。
【００３６】
光サーキュレーター１２４及び溶融型光ファイバーカプラ１３４は、いずれも第１ポートＰ１への一方向入力、第２ポートＰ２への双方向入力／出力、及び第３ポートＰ３への一方向出力の機能を有する。
【００３７】
具体的には、第１ポートＰ１は、第１光信号Ｓ１を受信（又は入力）するために用いられる。例えば、第１ポートＰ１は、ユーザーの端末装置の伝送端に接続され、前記伝送端で前記ユーザーの端末装置からの第１光信号Ｓ１を受信する。
【００３８】
第２ポートＰ２は、光ケーブル１０に接続して光コネクタ１２に連結し、第１光信号Ｓ１を伝送して第２光信号Ｓ２を受信する。例えば、光コネクタ１は送受信器又は波長分割マルチプレクサー２に接続され、第２ポートＰ２は、光ケーブル１０を介して第１光信号Ｓ１を前記送受信器又は前記波長分割マルチプレクサーに伝送し、また、光ケーブル１０を介して前記送受信器又は前記波長分割マルチプレクサーから第２光信号Ｓ２を受信できる。
【００３９】
第３ポートＰ３は、第２光信号Ｓ２を伝送（又は出力）する。例えば、第３ポートＰ３は、ユーザーの端末装置の受信端に接続され、第２光信号Ｓ２を前記ユーザーの端末装置の受信端に伝送できる。
【００４０】
前記実施例において、波長分割マルチプレクサー１１４が光サーキュレーター１２４又は溶融型光ファイバーカプラ１３４である場合、波長の利用順が簡単になるため、第１光信号Ｓ１及び第２光信号Ｓ２が同じ波長とすることで、波長分割多重方式の波長利用が複雑で管理しにくいという欠点を解決できる。
【００４１】
また、上記波長分割マルチプレクサー１１４によってシングルコア光ファイバーの双方向通信を実現できるため、通信容量が２倍になる。
【００４２】
前記実施例において、第１雄光ファイバーコネクタ１１１及び第２雄光ファイバーコネクタ１１３は、波長分割マルチプレクサー１１４の一側に互い平行に設けられる。
【００４３】
しかし、本実用新案は、上記実施の態様に限らない。
【００４４】
光サーキュレーター１２４と溶融型光ファイバーカプラ１３４との相違点としては、波長分割マルチプレクサー１１４が光サーキュレーター１２４である場合、光ファイバージャンパー線１が約０．７ｄＢ〜１．５ｄＢの低い光損失を有するが、溶融型光ファイバーカプラ１３４と比べてより高い費用をかかる。一方、波長分割マルチプレクサー１１４が溶融型光ファイバーカプラ１３４である場合、費用がより低いが、約３．４ｄＢ〜４．２ｄＢの高い光損失を有する。
【００４５】
図３ａは、本考案の第２実施例の光ファイバーコネクタの透視図である。図３ｂは、図３ａの実施例の波長分割マルチプレクサーの模式図である。本実施例の主な改良点としては、異なる波長分割マルチプレクサー１１４’を利用することである。第１実施例と比べて、本考案は、優れたチャネル波長平坦性を有することで、光損失を低く抑える。
【００４６】
図３ａに示す光ファイバーコネクタ１１’は、第１雄光ファイバーコネクタ１１１、第２雄光ファイバーコネクタ１１３、及び波長分割マルチプレクサー１１４’を備える。
【００４７】
前記実施例において、前記波長分割マルチプレクサー１１４’は、フィルター型波長分割マルチプレクサー１４４、又は溶融型波長分割マルチプレクサー１５４である。
【００４８】
図３ｂにおいて、フィルター型波長分割マルチプレクサー１４４及び溶融型波長分割マルチプレクサー１５４は、それぞれ、第１ポートＰ１、第２ポートＰ２及び第３ポートＰ３である３つのポートを有する。
【００４９】
また、第１ポートＰ１が第１雄光ファイバーコネクタ１１１に接続され、第２ポートがＰ２光ケーブル１０に接続され、第３ポートＰ３が前記第２雄光ファイバーコネクタ１１３に接続される。
【００５０】
フィルター型波長分割マルチプレクサー１４４及び溶融型波長分割マルチプレクサー１５４は、いずれも第１ポートＰ１への一方向入力、第２ポートＰ２への双方向入力／出力、及び第３ポートＰ３への一方向出力の機能を有する。
【００５１】
具体的には、第１ポートＰ１は第１光信号Ｓ１’を受信（又は入力）する。例えば、第１ポートＰ１は、ユーザーの端末装置の伝送端に接続され、前記伝送端で前記ユーザーの端末装置からの第１光信号Ｓ１’を受信する。第２ポートＰ２は、第１光信号Ｓ１’を伝送して第２光信号Ｓ２’を受信する。第２ポートＰ２は、光ケーブル１０に接続して光コネクタ１２に連結する。例えば、光コネクタ１２は送受信器又は波長分割マルチプレクサーに接続され、第２ポートＰ２は、光ケーブル１０を介して第１光信号Ｓ１’を前記送受信器又は前記波長分割マルチプレクサーに伝送し、また、光ケーブル１０を介して前記送受信器又は前記波長分割マルチプレクサーから第２光信号Ｓ２’を受信する。第３ポートＰ３は、第２光信号Ｓ２’を伝送（又は出力）する。例えば、第３ポートＰ３は、ユーザーの端末装置の受信端に接続され、第２光信号Ｓ２’を前記ユーザーの端末装置の受信端に伝送する。
【００５２】
前記実施例において、波長分割マルチプレクサー１１４’がフィルター型波長分割マルチプレクサー１４４又は溶融型波長分割マルチプレクサー１５４である場合、第１光信号Ｓ１’及び第２光信号Ｓ２’が異なる波長を有する。前記実施例の波長分割マルチプレクサー１１４と比べ、本実施例は、優れたチャネル波長平坦性を有し、光損失を低く抑える。しかしながら、その欠点としては、波長分割多重方式の波長利用が複雑となる。
【００５３】
上記波長分割マルチプレクサー１１４’によってシングルコア光ファイバーの双方向通信を実現できるため、通信容量が２倍になる。
【００５４】
フィルター型波長分割マルチプレクサー１４４と溶融型波長分割マルチプレクサー１５４と相違点としては、波長分割マルチプレクサー１１４’がフィルター型波長分割マルチプレクサー１４４である場合、光ファイバージャンパー線１が約０．３ｄＢ〜０．５ｄＢの低い光損失を有し、溶融型波長分割マルチプレクサー１５４と比べてより高い費用をかかる。一方、波長分割マルチプレクサー１１４が溶融型光ファイバーカプラ１３４である場合、費用がより低いが、約０．５ｄＢ〜１．０ｄＢの高い光損失を有する。
【００５５】
図４は本考案の第３実施例の光ファイバージャンパー線の透視図である。図４に示すように、本考案の双方向通信光ファイバージャンパー線１は、前記光ファイバーコネクタの１１の外周を覆う外部カバー１６を備える。
【００５６】
外部カバー１６の材質は、様々な防塵又は防水機能の材料、例えば、ポリ塩化ビニル（ＰＶＣ）、低煙ゼロハロゲン（ＬＳＺＨ）等が挙げられる。
【００５７】
図５は、本考案の第４実施例の光ファイバージャンパー線の模式図である。図５に示した光ファイバージャンパー線２は、光ケーブル２０、光ファイバーコネクタ２１、及び光コネクタ２２を備える。
【００５８】
前記光ファイバーコネクタ２１を光ケーブル２０の一端に設け、前記光コネクタ２２を光ケーブル２０の他端に設ける。
【００５９】
前記実施例において、光ケーブル２０の内部には複数本の光ファイバーを有する。また、光ファイバーコネクタ２１は、複数の雄光ファイバーコネクタ、及び複数の波長分割マルチプレクサーを有する。
【００６０】
前記雄光ファイバーコネクタの数が光ケーブル２０内の前記光ファイバーの数の２倍であるため、地下に埋めている光ファイバーの使用量を有効に減少できる。
【００６１】
例えば、光コネクタ２２はマルチコア光コネクタであり、複数の送受信器又は複数の波長分割マルチプレクサーに接続される。光コネクタ２２が送受信器又は前記波長分割マルチプレクサーと接続される一端面を鉛直方向に対して０°以上９０°未満の所定の角度とすることで、反射量を減少できる。
【００６２】
前記をまとめて、本考案は、以下の実施効果及び技術的な効果を有する。
【００６３】
１．本考案によれば、光ケーブル１０によって光コネクタ１２及び波長分割マルチプレクサー１１４を分離することで、工事での本実用新案の光ファイバージャンパー線１の破損可能性を有効に低減すると同時に、従来の光送受信システムコネクタの清潔上の不便さを解決できる。
【００６４】
２．本考案によれば、光コネクタ１２の一端面を所定の角度とすることで、反射光による信号の伝送不良を有効に低減できる。
【００６５】
３．本考案によれば、光ファイバーコネクタ１１内部の波長分割マルチプレクサー１１４によって、波長分割多重方式での波長チャンネル数が限られた問題を解決できる。そのため、光ファイバーを新たに設置しなくても、波長使用数を２倍にすることができる。
【００６６】
４．ユーザーの要求によって適切な波長分割マルチプレクサー１１４を選択することで、求めた高コストパフォーマンスを達成できる。
【００６７】
５．外部カバー１６によって光ファイバーコネクタ１１を覆うため、本考案の光ファイバージャンパー線を室外に使用しても、防水、防塵、及び抗日光等の機能を有する。
【００６８】
以上、特定の具体的な実施例によって本考案の実施形態を説明する。当業者は、本明細書の内容に基づいて本考案の他の利点及び効果を容易に理解できる。
【００６９】
以上内容があくまで本考案の好ましい実施例であり、本考案の範囲は、それらに限定されていない。本考案の開示内容に基づきなされた均等な変更又は付加は、下記の特許の範囲内に含まれる。
【符号の説明】
【００７０】
１  光ファイバージャンパー線
１０  光ケーブル
１１  光ファイバーコネクタ
１２  光コネクタ
１６  外部カバー
２０  光ケーブル
２１  光ファイバーコネクタ
２２  光コネクタ
１１１  第１雄光ファイバーコネクタ
１１３  第２雄光ファイバーコネクタ
１１４  波長分割マルチプレクサー
１２４  光サーキュレーター
１３４  溶融型光ファイバーカプラ
１４４  フィルター型波長分割マルチプレクサー
１５４  溶融型波長分割マルチプレクサー
１１’  光ファイバーコネクタ
１１４’  波長分割マルチプレクサー
Ｐ１  第１ポート
Ｐ２  第２ポート
Ｐ３  第３ポート
Ｓ１  第１光信号
Ｓ１’  第１光信号
Ｓ２  第２光信号
Ｓ２’  第２光信号
【図１】
0003224869.tif 000003
【図２ａ】
0003224869.tif 000004
【図２ｂ】
0003224869.tif 000005
【図３ａ】
0003224869.tif 000006
【図３ｂ】
0003224869.tif 000007
【図４】
0003224869.tif 000008
【図５】
0003224869.tif 000009